(57)【特許請求の範囲】
【請求項１】
対象物の表面をレーザ光で走査する走査装置と、前記対象物の表面で反射されたレーザ光を受光することで前記対象物の表面のうちレーザ光が照射された個所の３次元位置を検出する検出手段と、前記対象物から前記走査装置及び前記検出手段へ向かう予め定めた方向の基準軸から前記走査装置及び前記検出手段を傾斜させる傾斜手段と、前記対象物から前記走査装置及び前記検出手段へ向かう予め定めた方向を軸として前記走査装置及び前記検出手段を回転させる回転手段と、を備え、前記傾斜手段により前記走査装置及び前記検出手段を傾斜させつつレーザ光で走査させながら前記対象物の表面上の各個所の３次元位置を検出することを繰り返し行わせ、該検出された３次元位置に基づいて耳の穴の軸を求め、求めた軸を中心軸として前記回転手段により前記走査装置及び前記検出手段を回転させつつ対象物の表面を光学的に測定することによって、少なくとも外耳孔を含む耳の穴を対象物として該対象物の表面を光学的に測定し、前記対象物表面の各個所の３次元位置を表す表面形状情報を得る形状計測手段と、
前記形状計測手段により取得された表面形状情報に基づいて、前記対象物の３次元形状モデルを作成する作成手段と、
前記対象物に挿入する挿入物の前記対象物内の挿入位置を入力する入力手段と、
前記作成された３次元形状モデルに、外耳孔の位置を設定すると共に、設定した外耳孔の位置から前記入力した挿入位置までの領域を、型領域と設定する設定手段と、
前記３次元形状モデルに基づいて、前記設定された型領域についての３次元形状を表す型モデルを生成すると共に、生成した型モデルのデータを出力する制御手段と、
を含む生体印象取得装置。
【請求項２】
前記形状計測手段は、前記走査装置及び前記検出手段を、耳の穴の中心軸に沿って伸縮する伸縮手段を含み、前記伸縮手段により前記走査装置及び前記検出手段を伸縮させながら対象物の表面を光学的に測定することを特徴とする請求項１に記載の生体印象取得装置。
【請求項３】
前記入力手段は、前記作成された３次元形状モデルを表示する表示手段と、表示された３次元モデル上に前記挿入位置を指示する指示手段とを含むことを特徴とする請求項１または請求項２に記載の生体印象取得装置。
【請求項４】
対象物の表面をレーザ光で走査する走査装置と、前記対象物の表面で反射されたレーザ光を受光することで前記対象物の表面のうちレーザ光が照射された個所の３次元位置を検出する検出手段と、前記対象物から前記走査装置及び前記検出手段へ向かう予め定めた方向の基準軸から前記走査装置及び前記検出手段を傾斜させる傾斜手段と、前記対象物から前記走査装置及び前記検出手段へ向かう予め定めた方向を軸として前記走査装置及び前記検出手段を回転させる回転手段と、を備えた形状計測装置に、前記傾斜手段により前記走査装置及び前記検出手段を傾斜させつつレーザ光で走査させながら前記対象物の表面上の各個所の３次元位置を検出することを繰り返し行わせ、該検出された３次元位置に基づいて耳の穴の軸を求め、求めた軸を中心軸として前記回転手段により前記走査装置及び前記検出手段を回転させつつ対象物の表面を光学的に測定させることによって、少なくとも外耳孔を含む耳の穴を対象物として該対象物の表面を光学的に測定し、前記対象物表面の各個所の３次元位置を表す表面形状情報を取得する工程と、
前記取得された表面形状情報に基づいて、前記対象物の３次元形状モデルを作成する工程と、
前記対象物に挿入する挿入物の前記対象物内の挿入位置を入力する工程と、
前記作成された３次元形状モデルに、外耳孔の位置を設定すると共に、設定した外耳孔の位置から前記入力した挿入位置までの領域を、型領域と設定する工程と、
前記３次元形状モデルに基づいて、前記設定された型領域についての３次元形状を表す型モデルを生成すると共に、生成した型モデルのデータを出力する工程と、
を含む生体印象取得方法。
【請求項５】
対象物の表面をレーザ光で走査する走査装置と、前記対象物の表面で反射されたレーザ光を受光することで前記対象物の表面のうちレーザ光が照射された個所の３次元位置を検出する検出手段と、前記対象物から前記走査装置及び前記検出手段へ向かう予め定めた方向の基準軸から前記走査装置及び前記検出手段を傾斜させる傾斜手段と、前記対象物から前記走査装置及び前記検出手段へ向かう予め定めた方向を軸として前記走査装置及び前記検出手段を回転させる回転手段と、を備えた形状計測装置に、前記傾斜手段により前記走査装置及び前記検出手段を傾斜させつつレーザ光で走査させながら前記対象物の表面上の各個所の３次元位置を検出することを繰り返し行わせ、該検出された３次元位置に基づいて耳の穴の軸を求め、求めた軸を中心軸として前記回転手段により前記走査装置及び前記検出手段を回転させつつ対象物の表面を光学的に測定させることによって、少なくとも外耳孔を含む耳の穴を対象物として該対象物の表面を光学的に測定し、前記対象物表面の各個所の３次元位置を表す表面形状情報を取得するステップと、
前記取得された表面形状情報に基づいて、前記対象物の３次元形状モデルを作成するステップと、
前記対象物に挿入する挿入物の前記対象物内の挿入位置を入力するステップと、
前記作成された３次元形状モデルに、外耳孔の位置を設定すると共に、設定した外耳孔の位置から前記入力した挿入位置までの領域を、型領域と設定するステップと、
前記３次元形状モデルに基づいて、前記設定された型領域についての３次元形状を表す型モデルを生成すると共に、生成した型モデルのデータを出力するステップと、
の各処理をコンピュータで実行させる処理として含む生体印象取得プログラム。
【発明の詳細な説明】
【技術分野】
【０００１】
本発明は生体印象取得装置、方法及びプログラムに係り、特に、耳の穴等の対象物の印象を取得するための生体印象取得装置、方法及びプログラムに関する。
【背景技術】
【０００２】
生体の印象を取得する（かたどりをする）ことは、医療の様々な場面で用いられている。例えば、耳鼻咽喉科の関係では、聴力補助装置である補聴器の装着部分のかたどりが行われている。この補聴器用のかたどりは、耳介、外耳孔及び外耳道など耳の形状を正確に測定しかたどりをする（印象を採る）ことが一般的である。また、補聴器用のかたどりは、現在、軟性（ゴム等）のかたどり剤や液体を硬化させて印象を３〜５分の時間を費やし採取しているが、患者が苦痛や不快感を伴う場合がある。また、例えば鼓膜に穿孔がある患者の場合、中耳にかたどり剤等が流れ込む可能性を有しているため、外耳孔に液体を注入することは本来避けなければならない。さらに、補聴器用のかたどりは、技術を要するものであり、熟練者に頼っていた。
【０００３】
この問題を解決するための方法として、耳の形状を３次元形状測定して取得した形状データに基づき、補聴器のかたどりを行うことが提案されている。例えば、特許文献１には外耳孔から３次元形状測定可能なセンサを差込み、外耳道の３次元形状を測定してこの形状データに基づき補聴器のかたどりを行う技術が開示されている。
【特許文献１】特開平９−１０２５４号公報
【発明の開示】
【発明が解決しようとする課題】
【０００４】
しかしながら、特許文献１の３次元形状測定では外耳道の３次元形状測定はできても、外耳孔周辺の比較的広い部分から外耳道という狭い穴まで形状の異なる部分の複数形状データを連続して採取することができないため、補聴器用のかたどりとして必要なデータすべてを取得することができないという問題がある。このため、現状では、簡便に生体のかたどりを可能にする装置は存在しない。
【０００５】
本発明は上記事実を考慮して成されたもので、簡単な構成や操作で、外耳孔周辺から外耳道まで形状の異なる部分の複数形状データを連続して採取することができ、耳などの生体の形状をかたどりできる生体印象取得装置、方法及びプログラムを得ることが目的である。
【課題を解決するための手段】
【０００６】
上記目的を達成するために、本発明に係る生体印象取得装置は、対象物の表面をレーザ光で走査する走査装置と、前記対象物の表面で反射されたレーザ光を受光することで前記対象物の表面のうちレーザ光が照射された個所の３次元位置を検出する検出手段と、前記対象物から前記走査装置及び前記検出手段へ向かう予め定めた方向の基準軸から前記走査装置及び前記検出手段を傾斜させる傾斜手段と、前記対象物から前記走査装置及び前記検出手段へ向かう予め定めた方向を軸として前記走査装置及び前記検出手段を回転させる回転手段と、を備え、前記傾斜手段により前記走査装置及び前記検出手段を傾斜させつつレーザ光で走査させながら前記対象物の表面上の各個所の３次元位置を検出することを繰り返し行わせ、該検出された３次元位置に基づいて耳の穴の軸を求め、求めた軸を中心軸として前記回転手段により前記走査装置及び前記検出手段を回転させつつ対象物の表面を光学的に測定することによって、少なくとも外耳孔を含む耳の穴を対象物として該対象物の表面を光学的に測定し、前記対象物表面の各個所の３次元位置を表す表面形状情報を得る形状計測手段と、前記形状計測手段により取得された表面形状情報に基づいて、前記対象物の３次元形状モデルを作成する作成手段と、前記対象物に挿入する挿入物の前記対象物内の挿入位置を入力する入力手段と、前記作成された３次元形状モデルに、外耳孔の位置を設定すると共に、設定した外耳孔の位置から前記入力した挿入位置までの領域を、型領域と設定する設定手段と、前記３次元形状モデルに基づいて、前記設定された型領域についての３次元形状を表す型モデルを生成すると共に、生成した型モデルのデータを出力する制御手段と、を含んで構成されている。
【０００７】
本発明では、形状計測手段により、少なくとも外耳孔を含む耳の穴を対象物として該対象物の表面を光学的に測定し、対象物表面の各個所の３次元位置を表す表面形状情報を得る。この形状計測手段により取得された表面形状情報に基づいて、作成手段は、対象物の３次元形状モデルを作成する。これによって、少なくとも外耳孔を含む耳の穴の３次元形状モデルが得られる。外耳孔から深部に向かう耳の穴は、屈曲部を複数有しているが、補聴器を作成するときには、その一部のかたどりが行われる。その領域は、外耳孔から深部に向かう距離として標準的な値が定められている。そこで、入力手段によって、対象物に挿入する挿入物の対象物内の挿入位置を入力する。一方、少なくとも外耳孔を含む耳の穴の３次元形状モデルから、外耳孔の位置を設定することができる。例えば、３次元形状モデルとして得られた管状部分がらっぱ状に広がる変曲点近傍を外耳孔の位置に設定することができる。そして、設定手段は、３次元形状モデルに外耳孔の位置を設定すると共に、設定した外耳孔の位置から入力した挿入位置までの領域を、型領域と設定する。この型領域が設定されれば、補聴器を作成するときの挿入部分を特定することができる。そこで、制御手段は、３次元形状モデルから設定された型領域についての３次元形状を表す型モデルを生成すると共に、生成した型モデルのデータを出力する。
【０００８】
これによって、例えば外耳孔周辺から外耳道という、生体として耳の補助器具となる補聴器の挿入部分を作成するための領域について、型モデルとしてデータを得ることができる。
【０００９】
前記生体印象取得装置において、前記形状計測手段は、前記対象物の表面をレーザ光で走査する走査装置と、前記対象物の表面で反射されたレーザ光を受光することで前記対象物の表面のうちレーザ光が照射された個所の３次元位置を検出する検出手段と、を含んで構成され、前記検出手段による３次元位置の検出を、前記対象物の表面上の各個所をレーザ光で走査しながら繰り返し行うことができる。
【００１０】
これによって、対象物表面形状情報を取得することができる。なお、検出手段による３次元位置の検出は、例えば三角測量法を適用して行うことができる。前記形状計測手段を上記構成とすることにより、対象物、例えば外耳孔周辺から外耳道内部の表面上の各個所の３次元位置を非接触で検出できる。
【００１１】
前記生体印象取得装置において、前記形状計測手段は、前記走査装置及び前記検出手段を、耳の穴の中心軸を中心として回転する回転手段を含み、前記回転手段により前記走査装置及び前記検出手段を回転させながら対象物の表面を光学的に測定することができる。
【００１２】
走査装置で走査しながら外耳孔から耳道深部に向かい直線的に３次元位置を検出する場合、管状である耳道の全ての印象を得ようとすると、走査及び検出の向きを変更する必要がある。そこで、回転手段によって走査装置及び検出手段を耳の穴の中心軸を中心として回転することで、管状である耳道の全ての印象を得ることができる。
【００１５】
請求項２の発明は、請求項１記載の生体印象取得装置において、前記形状計測手段は、前記走査装置及び前記検出手段を、耳の穴の中心軸に沿って伸縮する伸縮手段を含み、前記伸縮手段により前記走査装置及び前記検出手段を伸縮させながら対象物の表面を光学的に測定することを特徴とする。
【００１６】
形状計測手段は、その走査により形状計測を行うが、耳の穴に沿って計測するには耳の穴に沿う方向に位置変更することが好ましい。そこで、伸縮手段により耳の穴の中心軸に沿って伸縮するようにすれば、容易に耳の穴に沿う方向の計測が可能になる。
【００１７】
請求項３の発明は、請求項１または請求項２記載の生体印象取得装置において、前記入力手段は、前記作成された３次元形状モデルを表示する表示手段と、表示された３次元モデル上に前記挿入位置を指示する指示手段とを含むことを特徴とする。
【００１８】
耳の穴の３次元形状モデルを用いて、対象物に挿入する挿入物の対象物内の挿入位置を入力する場合、操作者は、目視確認しながら適切な位置設定ができることを望む。そこで、表示手段に３次元形状モデルを表示し、表示された３次元モデル上に指示手段によって挿入位置を指示するようにすれば、確実かつ簡単に挿入位置を入力することができる。
【００１９】
他の発明に係る生体印象取得方法は、本発明の生体印象取得装置と同様に、耳などの生体の形状をかたどりすることを簡易な装置構成で実現できる。詳細には、対象物の表面をレーザ光で走査する走査装置と、前記対象物の表面で反射されたレーザ光を受光することで前記対象物の表面のうちレーザ光が照射された個所の３次元位置を検出する検出手段と、前記対象物から前記走査装置及び前記検出手段へ向かう予め定めた方向の基準軸から前記走査装置及び前記検出手段を傾斜させる傾斜手段と、前記対象物から前記走査装置及び前記検出手段へ向かう予め定めた方向を軸として前記走査装置及び前記検出手段を回転させる回転手段と、を備えた形状計測装置に、前記傾斜手段により前記走査装置及び前記検出手段を傾斜させつつレーザ光で走査させながら前記対象物の表面上の各個所の３次元位置を検出することを繰り返し行わせ、該検出された３次元位置に基づいて耳の穴の軸を求め、求めた軸を中心軸として前記回転手段により前記走査装置及び前記検出手段を回転させつつ対象物の表面を光学的に測定させることによって、少なくとも外耳孔を含む耳の穴を対象物として該対象物の表面を光学的に測定し、前記対象物表面の各個所の３次元位置を表す表面形状情報を取得する工程と、前記取得された表面形状情報に基づいて、前記対象物の３次元形状モデルを作成する工程と、前記対象物に挿入する挿入物の前記対象物内の挿入位置を入力する工程と、前記作成された３次元形状モデルに、外耳孔の位置を設定すると共に、設定した外耳孔の位置から前記入力した挿入位置までの領域を、型領域と設定する工程と、前記３次元形状モデルに基づいて、前記設定された型領域についての３次元形状を表す型モデルを生成すると共に、生成した型モデルのデータを出力する工程と、を含んでいる。
【００２０】
また、その他の発明に係る生体印象取得プログラムをコンピュータで実行することにより、コンピュータが本発明の生体印象取得装置として機能することになり、耳などの生体の形状をかたどりすることを簡易な構成で実現できる。詳細には、対象物の表面をレーザ光で走査する走査装置と、前記対象物の表面で反射されたレーザ光を受光することで前記対象物の表面のうちレーザ光が照射された個所の３次元位置を検出する検出手段と、前記対象物から前記走査装置及び前記検出手段へ向かう予め定めた方向の基準軸から前記走査装置及び前記検出手段を傾斜させる傾斜手段と、前記対象物から前記走査装置及び前記検出手段へ向かう予め定めた方向を軸として前記走査装置及び前記検出手段を回転させる回転手段と、を備えた形状計測装置に、前記傾斜手段により前記走査装置及び前記検出手段を傾斜させつつレーザ光で走査させながら前記対象物の表面上の各個所の３次元位置を検出することを繰り返し行わせ、該検出された３次元位置に基づいて耳の穴の軸を求め、求めた軸を中心軸として前記回転手段により前記走査装置及び前記検出手段を回転させつつ対象物の表面を光学的に測定させることによって、少なくとも外耳孔を含む耳の穴を対象物として該対象物の表面を光学的に測定し、前記対象物表面の各個所の３次元位置を表す表面形状情報を取得するステップと、前記取得された表面形状情報に基づいて、前記対象物の３次元形状モデルを作成するステップと、前記対象物に挿入する挿入物の前記対象物内の挿入位置を入力するステップと、前記作成された３次元形状モデルに、外耳孔の位置を設定すると共に、設定した外耳孔の位置から前記入力した挿入位置までの領域を、型領域と設定するステップと、前記３次元形状モデルに基づいて、前記設定された型領域についての３次元形状を表す型モデルを生成すると共に、生成した型モデルのデータを出力するステップと、の各処理をコンピュータで実行させる処理として含んでいる。
【発明の効果】
【００２１】
以上説明したように本発明は、形状計測により、少なくとも外耳孔を含む耳の穴の表面形状情報を得ることができるので、表面形状情報から３次元形状モデルを作成し、かたどりのための型領域についての３次元形状を表す型モデルのデータを出力して、例えば生体として耳の補助器具となる補聴器の挿入部分を作成するための領域のデータを得ることができる、という優れた効果を有する。
【発明を実施するための最良の形態】
【００２２】
以下、図面を参照して本発明の実施形態の一例を詳細に説明する。なお、以下では本発明を、生体としての患者の耳の印象取得に適用した場合を例に説明するが、本発明はこれに限定されるものではない。
【００２３】
図１には本実施形態に係る生体印象取得装置１０が示されている。生体印象取得装置１０はパーソナル・コンピュータ（ＰＣ）等から成るコンピュータ１２を備えている。コンピュータ１２はＣＰＵ１２Ａ、ＲＯＭ１２Ｂ、ＲＡＭ１２Ｃ及び入出力ポート１２Ｄを備えており、これらはバス１２Ｅを介して互いに接続されている。また、入出力ポート１２Ｄには、操作者が任意の情報を入力したり各種の指示を与えるためのキーボード１４及びマウス１６、ＬＣＤ又はＣＲＴから成り任意の情報を表示可能なディスプレイ１８、ハードディスクドライブ（ＨＤＤ）２０及びＣＤ−ＲＯＭドライブ２２が各々接続されている。なお、ディスプレイ１８は本発明に係る表示手段に対応している。また、生体印象取得装置１０は、請求項１の生体印象取得装置に対応している。
【００２４】
コンピュータ１２のＨＤＤ２０には、後述する３次元形状モデルや型モデルの生成を行うための３次元モデル生成プログラムを含む生体印象取得プログラムが予めインストールされている。本実施形態において、コンピュータ１２は請求項８に記載のコンピュータに、生体印象取得プログラムは請求項８記載の発明に係る生体印象取得プログラムに対応しており、コンピュータ１２は生体印象取得プログラムを実行することで、請求項１に記載の生体印象取得装置として機能することが可能となる。
【００２５】
生体印象取得プログラムをコンピュータ１２にインストール（移入）するには幾つかの方法があるが、例えば生体印象取得プログラムをセットアッププログラムと共にＣＤ−ＲＯＭに記録しておき、このＣＤ−ＲＯＭをコンピュータ１２のＣＤ−ＲＯＭドライブ２２にセットし、ＣＰＵ１２Ａに対してセットアッププログラムの実行を指示すれば、ＣＤ−ＲＯＭから生体印象取得プログラムが読み出されてＨＤＤ２０に順に書き込まれ、必要に応じて各種の設定が行われることで、生体印象取得プログラムのインストールが行われる。
【００２６】
また、コンピュータ１２の入出力ポート１２Ｄには、成形装置２４、及び３次元形状測定装置３０が各々接続されている。３次元形状測定装置３０は患者の外耳孔から孔の形状測定を行うものである。成形装置２４は、生成される型モデルの３次元データから耳への装着部分を成形する装置である。なお、成形装置２４は、本発明に必須の構成ではなく、省略可能である。つまり、詳細は後述するように３次元形状モデルや型モデルの生成がなされていれば、再利用可能な形式でデータを取得できるので、この取得したデータを利用可能に格納すればよい。
【００２７】
図２（Ａ）に示すように、３次元形状測定装置３０は、患者の両耳を覆うように装着可能とするもので（所謂、ヘッドフォン形状）、右耳装着部３０Ｒ，左耳装着部３０Ｌ、及びこれらを連結するアーム３０Ａから構成されている。図２（Ｂ）に示すように、右耳装着部３０Ｒの右耳接近側には、３次元形状測定装置３０の基本部分である走査計測ユニット４８が設けられている。走査計測ユニット４８は筐体が箱型とされ、走査計測ユニット４８の筐体の底面に矩形状の開口が設けられ、この開口は光透過性のカバー５０によって閉止されており、３次元形状測定装置３０は、測定／撮像ユニット４８の筐体内部のカバー５０（開口）に対応する位置に取付けられている。
【００２８】
図２（Ｃ）に示すように、右耳装着部３０Ｒは、断面円形状の外装部３２にイヤーパッド３３が取り付けられている。外装部３２には外装部３２の中心を中心軸ＣＬとする円形状のベース板３４が固定されており、ベース板３４の耳装着側でかつ中心軸ＣＬから等間隔の３カ所に軸傾斜駆動部３６の一端が取り付けられている。軸傾斜駆動部３６の他端は、ベアリング４４が外周に取り付けられた円形ベース板３８に取り付けられる。この円形ベース板３８の初期状態は、円形ベース板３８の中心が上記中心軸ＣＬと一致するように取り付けられる。軸傾斜駆動部３６は、軸の向きを調整する軸方向調整機構として機能するもので、図示しないコントローラからの信号により各々長さが調整される。これら３つの軸傾斜駆動部３６について長さを調整することにより、ベース板３４に対して円形ベース板３８が傾斜され、ベース板３４の法線方向に対して円形ベース板３８の法線方向を調整することができる。中心軸ＣＬに対して回転ベース板４６の法線方向を調整することができる。
【００２９】
ベアリング４４の内側には円形ベース板３８が取り付けられるが、ベアリング４４の外側には、回転ベース板４６が取り付けられる。この回転ベース板４６の初期状態は、回転ベース板４６の中心が上記中心軸ＣＬと一致するように取り付けられる。円形ベース板３８の軸傾斜駆動部３６の取り付け側には、回転軸４１を円形ベース板３８の半径方向の外周に向けてモータ４０が取り付けられる。回転軸４１の先端にはプーリ４２が取り付けられる。このプーリ４２の外周は、回転ベース板４６に固定されるベアリング４４の外輪側に接触される。これにより、モータ４０の回転軸４１が回転することで、プーリ４２が回転され、接触され連結された回転ベース板４６が回転される。回転ベース板４６の耳装着側には、走査計測ユニット４８が取り付けられる。走査計測ユニット４８は、初期状態として後述する走査範囲の中心に上記中心軸ＣＬが位置するように取り付けられる。
【００３０】
従って、軸傾斜駆動部３６を調整することで、中心軸ＣＬに対して回転ベース板４６の法線方向を調整、すなわち走査計測ユニット４８の光軸の方向を調整できる。また、モータ４０の回転により、回転ベース板４６が回転、すなわち走査計測ユニット４８の走査方向を回転できる（詳細は後述。図３参照）。
【００３１】
なお、以下の説明では、回転ベース板４６の法線方向を中心軸Ｌとして説明する。また、左耳装着部３０Ｌの構成は、右耳装着部３０Ｒの構成と同様のため、詳細な説明を省略する。また、ここでは、右耳装着部３０Ｒ，左耳装着部３０Ｌの各々に走査計測ユニット４８等を備えた３次元形状測定装置３０を想定するが、本発明はこれに限定されるものではなく、右耳装着部３０Ｒ及び左耳装着部３０Ｌの少なくとも一方に走査計測ユニット４８等を備えるようにしてもよい。
【００３２】
図３には、３次元形状測定装置３０において調整される中心軸及び走査方向を説明するための概念図を示した。図３（Ａ）に示すように、図２の構成により、３次元形状測定装置３０は、走査計測ユニット４８、走査計測ユニット４８を回転するモータ４０等からなる回転駆動部、走査計測ユニット４８と回転駆動部からなる回転ユニット３９、回転ユニット３９の軸を傾斜（中心軸Ｌを傾斜）する軸傾斜駆動部３６を含む。モータ４０等からなる回転駆動部により中心軸Ｌを中心として走査計測ユニット４８は一方（図３では矢印Ｒ方向）に回転可能である。また、軸傾斜駆動部３６により、ベース板３４に対して中心軸Ｌの向きを所定方向（図３では矢印ｕ方向及び矢印ｖ方向）に傾斜可能である。また、中心軸Ｌは、外耳孔８０の中央付近に位置するように設定される。図３（Ｂ）に示すように、走査計測ユニット４８によって、走査範囲５２は、外耳孔８０を網羅するように設定される。そして、中心軸Ｌを中心として走査計測ユニット４８が回転（図３では角度θ）されることにより、走査方向が変更される。この回転を３６０度行うことにより、耳の穴の内面（表面）を計測することができる。
【００３３】
図４に示すように、３次元形状測定装置３０に含まれる走査計測ユニット４８は、一対のレール５４の間に掛け渡された可動ベース５６を備えている。可動ベース５６は、レール５４と平行に延設されモータ５８によって回転されるボールネジ６０が螺合しており、ボールネジ６０の回転に伴いレール５４に沿って摺動移動される。また、可動ベース５６にはレーザ光源を含んで構成された発光部６２が取付けられており、発光部６２のレーザ光（送出レーザ光）射出側には、可動ベース５６に取付けられたミラー６４、モータ７２の回転軸に取付けられモータ７２の駆動に伴って向きが変更されるガルバノメータミラー６６が順に配置されている。発光部６２から射出された送出レーザ光は、ミラー６４、ガルバノメータミラー６６で反射されることで、カバー５０を透過して走査計測ユニット４８の筐体外へ射出される。
【００３４】
また、走査計測ユニット４８の筐体外へ射出された送出レーザ光は、被照射体（例えば外耳孔周辺）で反射され、戻りレーザ光として、カバー５０を透過してミラー６７に入射される。ミラー６７は、ガルバノメータミラー６６と同一の向きでモータ７２の回転軸に取付けられ、モータ７２の駆動に伴って向きが変更されるように構成されている。ミラー６７の戻りレーザ光射出側にはミラー６８、レンズ６９、多数個の光電変換素子が一列に配列されて成るラインセンサ７０が順に配置されており、ミラー６７に入射された戻りレーザ光はミラー６７、６８で反射され、レンズ６９を透過することで、ラインセンサ７０で受光される。ラインセンサ７０からの出力信号は増幅器やＡ／Ｄ変換器を介して３次元形状測定装置３０のコントローラに入力される（何れも図示省略）。またコントローラには、可動ベース５６の位置を検出する位置センサと、ガルバノメータミラー６６（及びミラー６７）の向きを検出する角度センサも接続されている。
【００３５】
コントローラは、ラインセンサ７０から増幅器・Ａ／Ｄ変換器を経て入力された受光データに基づいて、ラインセンサ７０の何れの光電変換素子でレーザ光が受光されたかを判断し、ラインセンサ７０上でのレーザ光を受光した光電変換素子の位置と、センサによって検出された可動ベース５６の位置及びガルバノメータミラー６６の向きに基づいて、被照射体上のレーザ光照射位置の３次元座標（詳しくは、走査計測ユニット４８の筐体の位置を基準として設定された３次元座標系（筐体座標系と称する）における３次元座標）を三角測量法により検出（演算）する。また、コントローラにはモータ７２、５８が各々接続されており、モータ７２を駆動してガルバノメータミラー６６（及びミラー６７）の向きを変化させることで、被照射体上のレーザ光照射位置をモータ７２の回転軸の軸線と直交する方向に沿って移動させる（主走査）と共に、モータ５８を駆動して可動ベース５６を移動させることで、被照射体上のレーザ光照射位置をレール５４と平行な方向に沿って移動させる（副走査）。
【００３６】
これにより、被照射体の表面形状（被照射体の表面の各個所の３次元座標）が、その全面に亘り、３次元形状測定装置３０によって測定されることになる。３次元形状測定装置３０はコンピュータ１２から指示されると被照射体の表面形状の測定を行い、測定によって得られた被照射体の表面の各個所の３次元座標を表すデータ（以下、このデータを表面測定データと称する）をコンピュータ１２へ出力する。
【００３７】
なお、走査計測ユニット４８がモータ４０により回転されると、３次元座標系（筐体座標系）の座標軸の原点と座標軸の向きが変わるので、各回転角度で測定された表面測定データは、定められた回転角度における３次元座標系（筐体座標系）のデータに座標変換する必要がある。この座標変換を行うための座標変換係数は、各々の回転角度毎に予めコンピュータ１２内に記憶されている。この座標変換係数を求める方法を説明する。
【００３８】
図８に示すように、走査計測ユニット４８からのレーザー光照射により３次元形状測定が可能な領域内に、基準測定子５１としてそれぞれ反射率の異なる３つの球体５１Ａ，５１Ｂ，５１Ｃを設置し、それぞれの回転角度で３次元形状測定を行う。この場合、球体５１Ａ，５１Ｂ，５１Ｃの位置関係及び球体から走査計測ユニット４８までの距離関係が既知であることが好ましい。３つの球体の表面データは反射光量により区別することができるため、それぞれの球体の表面データから最小２乗法により、球体中心座標を計算する。ある座標系による座標を別の座標系による座標に変換するための座標変換式は次の（１）式である。
【００３９】
【数１】
0004492879.tif 000002
【００４０】
上記（１）式に定められた回転角度と各々の回転角度における３つの球体中心座標と、３つの球体中心座標が含まれる平面の法線ベクトルの単位成分とをこの座標変換式の（Ｘ１，Ｙ１，Ｚ１）と（Ｘ２，Ｙ２，Ｚ２）に代入すると４つ式がある３組の連立方程式が形成される。この３組の連立方程式を解くことで、座標変換式の行列式の値ｇ１１〜ｇ３３およびベクトル成分ａ，ｂ，ｃを求めることができる。各々の回転角度における行列式の値ｇ１１〜ｇ３３およびベクトル成分ａ，ｂ，ｃが各々の回転角度における座標変換係数としてコンピュータ１２内に記憶される。
【００４１】
なお、表面測定データは本発明に係る表面形状情報に対応しており、レール５４、可動ベース５６、モータ５８、ボールネジ６０、発光部６２、ミラー６４、ガルバノメータミラー６６及びモータ７２は請求項２に記載の走査装置に、ミラー６７、６８、レンズ６９、ラインセンサ７０及びモータ７２は請求項２に記載の検出手段に各々対応している。
【００４２】
次に本実施形態の作用を説明する。本実施形態では、患者の耳の印象取得を実行し、補聴器の装着部分を作成するための（かたどり後の）データ出力をする場合を説明する。まず、電源投入されたコンピュータ１２に対して生体印象取得プログラムの起動が指示されることで、３次元形状モデルや型モデルの生成を含む生体印象取得処理（図５）が実行される。この生体印象取得処理について、図５のフローチャートを参照して説明する。
【００４３】
まず、患者の頭部（より詳しくは、耳を覆うよう）に、３次元形状測定装置３０を固定する。なお、後述するように、外耳孔近傍から外耳道の３次元形状を測定するが、測定精度向上のために、患者のあご、前額、側頭部を軽く押さえる台に顔面を固定することが好ましい。固定が完了した後には、印象取得処理に移行することを表す情報がキーボード１４を介して操作者によって入力されると、ステップ１００で肯定される。ステップ１００はキーボード１４により生体印象取得プログラムの起動が指示（印象取得処理に移行することを表す情報が入力）されるまで否定判定を繰り返し、肯定によりステップ１０２へ進む。ステップ１０２では、外耳孔近傍に初期位置（焦点）を設定する。ここでは、外耳孔の中心位置が３次元形状測定装置３０の走査計測ユニット４８の移動範囲の中心位置に対応したものとして、その中心位置（中心軸ＣＬ）を初期値に設定する（図２）。なお、この設定は、外耳孔の中心位置を目視しながら手動にて行っても良い。
【００４４】
次のステップ１０４では、外耳道の中心軸Ｌを導出（光軸を傾斜）する。この中心軸Ｌとは、外耳道の表面に接触することなく貫通することが可能な軸線であり、その軸線が外耳孔から最も長い距離の深さを得ることができるものを導出する。具体的には、軸傾斜駆動部３６の初期角度について、患者の耳内部（外耳道）へ向けてレーザ光を射出し、患者の耳内部（外耳道）で反射された戻りレーザ光のラインセンサ７０上での受光位置に基づいてレーザ光の照射位置の最深部の３次元座標を検出（演算）することを、ガルバノメータミラー６６（及びミラー６７）の向きを変化させると共に可動ベース５６を移動させながら繰り返すことで、患者の耳内部（外耳道）の表面形状のうちの最深部測定を行う。これにより、外耳道の中心軸に対しての走査方向Ｘ（図３）について最深部を測定できる。
【００４５】
ところが、外耳道は走査計測ユニット４８の法線方向である中心軸ＣＬに直交するとは限らず、傾斜していることが一般的であり、最深部でのレーザ光の反射光が得られない場合がある。そこで、走査計測ユニット４８を角度θ（図３）で回転させて再度、最深部測定を行う。この処理を所定角度づつ回転させて各々行い、一回転について処理することで、現在設定されている中心軸Ｌにおいての最深部を測定できる。以上の処理を、初期角度から矢印ｕ、矢印ｖ（図３）に所定角度づつ傾斜させた状態について、各々処理し、計算結果が最も最深となる外耳道の中心軸Ｌｉ＝（ｕｉ，ｖｉ）を導出する。なおｉは、任意の自然数である。また、矢印ｕ、矢印ｖの傾斜は、軸傾斜駆動部３６により実行することができる。
【００４６】
なお、ステップ１０４の処理は、外耳道の中心軸Ｌの自己導出の処理であるため、詳細な３次元座標の導出は不要であり、また表面全てについて求める必要もない。このため、計算量は削減することが容易である。なお、外耳道の中心軸Ｌの導出は、上記では、外耳道の最深部まで接触することなく貫通する軸線を設定したが、これに限定されるものではない。例えば、最深部を位置や距離で設定するようにしてもよい。図６には、導出された外耳道の中心軸Ｌのイメージを示した。図６では、中心軸Ｌとして外耳道の最深部までを達成した中心軸Ｌ１と、外耳孔近傍の外耳道にのみ着目した中心軸Ｌ２とを示している。
【００４７】
外耳道の中心軸Ｌの導出が終了すると、ステップ１０６へ進み、印象取得を開始する。印象取得では、３次元形状測定装置３０に対して表面形状の測定を指示する。これにより、３次元形状測定装置３０では、患者の外耳孔を含む患者の外耳道へ向けてレーザ光を射出し、患者の表面で反射された戻りレーザ光のラインセンサ７０上での受光位置に基づいてレーザ光の照射位置の３次元座標を検出（演算）することを、ガルバノメータミラー６６（及びミラー６７）の向きを変化させると共に可動ベース５６を移動させながら繰り返すことで、患者の外耳道の表面形状（各個所の３次元座標）の測定を行う。この３次元形状測定装置３０による表面形状の測定結果として出力される表面測定データは筐体座標系における３次元座標値である。
【００４８】
ステップ１０６の印象取得は、外耳道の孔の帯形状測定である。すなわち、３次元形状測定装置３０による測定は、外耳孔近傍から外耳道の３次元形状を、レーザー光の反射により三角測量法の原理で測定・記録する。従って、外耳道内面の全てを測定できない。そこで、３次元形状測定装置３０による１回の測定では、外耳道内面について所定幅の帯状の領域を測定するものとする（図３（Ｂ）の範囲ｋ）。
【００４９】
次のステップ１０８では、走査計測ユニット４８の回転が、３６０度（一回転）を終了したか否かを判断し、肯定されると、ステップ１１２へ進む。一方、否定されると、ステップ１１０で予め定めた所定角度θだけ走査計測ユニット４８を回転させた後にステップ１０６へ戻る。従って、走査計測ユニット４８が所定角度θづつ回転しながら、範囲ｋの帯状の外耳道内面形状が測定される。なお、角度θは、範囲ｋの一部が重複するように定められている。
【００５０】
以上の処理により範囲ｋづつ帯状の外耳道内面形状の測定データ（３次元座標値）が得られると、ステップ１１２において、帯状の外耳道内面形状の測定データを各々の角度θにおける座標変換係数により座標変換して定められた角度θにおける筐体座標系のデータにすることにより外耳道の３次元形状を構築する。ここでは、外耳道の３次元形状構築により、筐体座標系による３次元形状モデルを生成する。その結果、図６に示すように、耳として外部に露出した部分と、内部に隠れた外耳道の表面形状として３次元形状モデルが生成される。この３次元形状モデル８４についてのデジタルデータをコンピュータ（のハードディスクドライブ２０）に保存する。
【００５１】
なお、上記では、帯状測定（範囲ｋづつ走査）し、順次走査計測ユニット４８を回転させる処理を繰り返す場合を説明したが、外耳道断面の中心に測定器の中心を置き、レーザーは出力部と受光部（リネアフォトダイドードアレイ）を１８０度の角度で対角に配置し、それを回転させながら手前に移動させ（ラセンに回転させ）、外耳道の奥から手前の外耳孔まで走査するようにしてもよい。以上の処理により、外耳道の奥から手前の外耳孔周辺までの形状を一つの装置で測定できる。
【００５２】
ここで、補聴器の装着部分は、外耳道の直線的な領域であることが想定される。一方、外耳道は、頭部内部に進むに従い幾つかの屈曲部を有している。外耳道は、耳として外部に露出した部分までとするが、その領域を外耳孔８０という。従って、外耳孔８０から外耳道の内部に進む第１番目の屈曲部までを、補聴器の装着検討部分に設定すれば充分な補聴器の装着部分を確保できる。そこで、ステップ１１４では、外耳道の内部に進む第１番目の屈曲部を、第１カーブ８２として決定する。次のステップ１１６では、外耳孔を決定する。この外耳孔８０の決定は、外耳道の屈曲部の内、屈曲度合いが最大の位置を自動的に検出することにより行われる。なお、３次元形状モデルで外部に露出する部分を操作者により設定し、最初の屈曲部を外耳孔８０と設定してもよい。また、上記ステップ１１２で記憶したデジタルデータを、ディスプレイ１８に表示したり、デジタルデータから３次元形状モデル８４を再構築したモデルイメージをディスプレイ１８に表示して、マウス１６やキーボード１４により入力された数値や位置によって決定してもよい。
【００５３】
次のステップ１１８では、外耳孔８０から第１カーブ８２までの間を型領域として決定し、補聴器の装着部分の深さを設定する。この型領域は、補聴器の装着部分に対応する領域であり、補聴器を作成するときに検討するものである。そこで、本実施の形態では、上記ステップ１１２で記憶したデジタルデータから３次元形状モデル８４を再構築したモデルイメージをディスプレイ１８に表示して、マウス１６やキーボード１４により型領域を入力設定することによって決定する。なお、この設定は、外耳孔８０から予め定めた距離（例えば１０ｍｍ）の深さまでの領域を補聴器の装着部分として設定してもよい。
【００５４】
図６に示すように、３次元形状モデル８４をディスプレイ１８に表示し、外耳孔８０から予め定めた距離（例えば１０ｍｍ）の深さＳ（中心軸Ｌ１の場合の距離Ｓ１、及び中心軸Ｌ２の場合の距離Ｓ２）までの領域を補聴器の装着部分の検討領域として提示する。操作者は、ディスプレイ１８を目視しながら、どこからどこまでの形状を必要とするかを入力（本実施形態ではマウス１６でトレース）する。この入力結果から、型領域を決定し、その外面形状の型モデル８６を得る。
【００５５】
次のステップ１２０では、上記ステップ１１８で決定した型領域の形状を抽出する。この型領域の形状抽出は、型モデル８６の３次元座標群を抽出する処理である。そして、次のステップ１２２では、この型モデル８６についてのデジタルデータ（３次元座標群）をコンピュータに保存すると共に、成形装置２４へデジタルデータ（３次元座標群）を出力する。これによって、成形装置２４では、入力されたデジタルデータ（３次元座標群）を基にして型モデルと一致する耳への装着部分を成形することができる。なお、ステップ１２２では、成形装置２４へのデジタルデータ（３次元座標群）の出力は必須ではない。すなわち、デジタルデータ（３次元座標群）をハードディスクドライブ２０に保存するのみでよい。
【００５６】
次のステップ１２４では、操作者によるディスプレイ１８の目視確認を完了したことを示す確認完了の指示がキーボード１４やマウス１６で、なされたか否かを判断する。否定されるとステップ１０２へ戻り、上記処理を繰り返す。一方、肯定されると、本処理ルーチンを終了する。
【００５７】
なお、上記では、外耳道の表面形状を走査計測ユニット４８（３次元形状測定装置３０）により測定できるものとしたが、外耳道には、うぶ毛等の反射光を阻害する物体が存在する場合がある。この場合、走査計測ユニット４８はＳＮが低下するが、走査計測ユニット４８の精度により、そのうぶ毛までも測定することができる。そこで、上記ステップ１１８において、操作者が、ディスプレイ１８を目視しながら、外耳道表面の毛など、実際に不要な形状は、どこからどこまでの形状を必要とするかを入力（マウスでトレース）する段階で切り捨てられるようにすることが好ましい。
【００５８】
以上説明したように、本実施形態の生体印象取得装置１０では、３次元形状測定装置３０によって対象物（本実施形態では外耳道の形状）の表面が光学的に測定されることで得られた表面形状データを容易に取得することができる。例えば、耳の形状の合わせた補聴器を作成する場合には、外耳孔から外耳道の形状を計測する必要がある。現在は、外耳孔周辺から外耳道までの形状を連続的に計測する装置がないため、鋳型を採取するごとく、接触させる方法でかたどりをしている。健常な耳のかたどりはこれで問題ないが、病的状態（炎症・感染などの危険性がある）では、非接触でのかたどりが必要である。また、接触させる方法に伴う不快感を解消するためにも非接触が望ましい。従って、本実施の形態の生体印象取得装置１０により、簡便な装置・操作で、患者に苦痛を与えることなく、非接触で外耳孔周辺から外耳道までの形状をかたどりすることができる。また、採取したデータをデジタル化して扱えることにより、保存が容易になり、直接加工に使用する装置（成形装置２４）を駆動することを容易に実行することができる。これにより、予期せぬ効果として、まず試着するための（補聴器としての機能のない）器械を試作し、形状の適合を試してから、その結果に基づいて実際の補聴器を作成できるなど利点がある。
【００５９】
なお、本実施の形態の生体印象取得装置１０は、補聴器の装着部を作成する場合を一例として説明したが、本発明はこれに限定されるものではなく、非接触によりかたどりが要求される他の生体部分についても容易に適用することが可能である。また、本実施形態に係る生体印象取得装置１０は、３次元形状測定装置３０、生体印象取得プログラムをインストールしたコンピュータ１２のみで実現できるので、かたどりに熟練を必要とすることはない。
【００６０】
上記実施形態の３次元形状測定装置３０では、患者の外耳孔を含む患者の外耳道へ向けてレーザ光を射出し、表面で反射された戻りレーザ光のラインセンサ７０上での受光位置に基づいてレーザ光の照射位置の３次元座標を検出（演算）することを、ガルバノメータミラー６６（及びミラー６７）の向きを変化させると共に可動ベース５６を移動させながら繰り返すことで、患者の外耳道の表面形状（各個所の３次元座標）の測定を行う場合を説明した。この３次元形状測定装置３０と同様の効果を得ることができる表面形状の測定の他例を図７を参照して説明する。
【００６１】
図７に示すように、他例の３次元形状測定装置３１は、投受光部３０Ａ、伸縮回転部３０Ｂ、及び固定部３０Ｃを備えている。投受光部３０Ａは、図４に示す発光部６２に相当する投光部とラインセンサ７０に相当する受光部を備えたものである。伸縮回転部３０Ｂは、図３に示すモータ４０に相当する投受光部３０Ａを中心軸Ｌを軸として（矢印Ｒ方向に）回転する回転駆動部と、投受光部３０Ａを中心軸Ｌを軸として（矢印Ｇ方向に）伸縮棒３７Ｂを伸縮する伸縮駆動部３７Ｃとを備えている。固定部３０Ｃは、中心軸Ｌの向きを調整するために、投受光部３０Ａに連結された伸縮回転部３０Ｂに取り付けられており、図示しない外部筐体に固定される。
【００６２】
外耳道の中心軸Ｌは、固定部３０Ｃによる調整により決定される。そして、図７の３次元形状測定装置３１では、患者の外耳道内に投受光部３０Ａを挿入し、中心軸Ｌを軸として回転することにより、外耳道表面形状を得るために、外耳道表面へ向けてレーザ光を射出し、表面で反射された戻りレーザ光のラインセンサ７０上での受光位置に基づいてレーザ光の照射位置の３次元座標を検出（演算）することを、回転駆動部による回転と、伸縮駆動部３７Ｃの駆動による投受光部３０Ａの位置を変化させることを繰り返すことで、患者の外耳道表面形状（各個所の３次元座標）を測定できる。
【図面の簡単な説明】
【００６３】
【図１】生体印象取得装置の概略構成を示すブロック図である。
【図２】３次元形状測定装置の構成を示す概念図であり、（Ａ）は外観図、（Ｂ）は走査計測ユニットに対する目視図、（Ｃ）は（Ｂ）の断面図である。
【図３】３次元形状測定装置で調整される中心軸及び走査方向の説明図であり、（Ａ）はブロック図、（Ｂ）は走査範囲の図である。
【図４】走査計測ユニットの内部構成を示す斜視図である。
【図５】生体印象取得処理の内容を示すフローチャートである。
【図６】３次元形状モデルから型モデルが生成されるまでの説明図である。
【図７】３次元形状測定装置の他の構成を示す概念図である。
【図８】３次元形状測定装置のの走査計測ユニットを回転したときの座標変換係数を求める過程の説明図である。
【符号の説明】
【００６４】
１０  生体印象取得装置
１２  コンピュータ
１８  ディスプレイ
２２  ドライブ
３０  ３次元形状測定装置
【図１】
0004492879.tif 000003
【図２】
0004492879.tif 000004
【図３】
0004492879.tif 000005
【図４】
0004492879.tif 000006
【図５】
0004492879.tif 000007
【図６】
0004492879.tif 000008
【図７】
0004492879.tif 000009
【図８】
0004492879.tif 000010